【手続補正書】
【提出日】平成21年2月17日(2009.2.17)
【手続補正１】
【補正対象書類名】特許請求の範囲
【補正対象項目名】全文
【補正方法】変更
【補正の内容】
【特許請求の範囲】
【請求項１】
以下の式(I)の化合物：
【化１】
2006225663.tif 000001
（式中、
各Arは、独立して、アルキル、アルコキシ、アルコキシアルキル、ヒドロキシ、ヒドロキシアルキル、ハロ及びそれらの組合せからなる群より選ばれる0〜3の置換基を有する多環の炭素環芳香族部分を表し；
各Lは、独立して、連結基を含む連結部分を表し；
各Yは、独立して、式H(O(CR2)n)yX-部分を表し、ここで、Xは、(CR'2)z、O及びSからなる群より選ばれ；R及びR'は、それぞれ独立して、H、炭素数1〜6のアルキル及びアリールから選ばれ；zは1〜10であり；nは、Xが(CR'2)Zの場合、0〜10であり、XがO又はSの場合、2〜10であり；yは1〜30であり；
各aは、独立して0〜3を表すが、ただし、少なくとも１つのAr部分は、少なくとも１つの基Yを有し；
mは1〜100である）。
【請求項２】
YがH(O(CR2)2)y-であり、yが1〜6である、請求項１に記載の化合物。
【請求項３】
Arがナフタレンであり、YがHOCH2CH2O-であり、且つLがCH2である、請求項２に記載の化合物。
【請求項４】
Arが、2-(2-ナフチルオキシ)-エタノールから誘導され、mが2〜25である、請求項３に記載の化合物。
【請求項５】
請求項１の化合物とアシル化剤との反応生成物。
【請求項６】
アシル化剤が、約100〜約5000の数平均分子量を有するポリアルキルコハク酸アシル化剤又はポリアルケニルコハク酸アシル化剤である、請求項５に記載の反応生成物。
【請求項７】
アシル化剤がヒドロカルビルイソシアネートである、請求項５に記載の反応生成物。
【請求項８】
請求項４に記載の化合物と、約100〜約5000の数平均分子量を有するポリアルキルコハク酸アシル化剤又はポリアルケニルコハク酸アシル化剤との反応生成物。
【請求項９】
請求項４に記載の化合物とヒドロカルビルイソシアネートとの反応生成物。
【請求項１０】
ナフチルオキシエタノールとホルムアルデヒドを酸の存在下において反応させ、メチレン架橋ナフチルオキシエタノール化合物を生成させることを含む、請求項３に記載の化合物を生成する方法。
【請求項１１】
ナフチルオキシエタノールが、(i)ヒドロキシルナフタレン化合物とエチレンカーボネートを塩基触媒の存在下で反応させてナフチルオキシエタノールを生成させる反応；を含む方法の生成物である、請求項１０に記載の方法。
【請求項１２】
残留している塩基を、ホルムアルデヒドとの反応前に過剰の酸で中和する、請求項１１に記載の方法。
【請求項１３】
酸が、油溶性スルホン酸又は固形酸触媒である、請求項１０に記載の方法。
【請求項１４】
酸触媒の存在下における、メチレン架橋ナフチルオキシエタノール化合物とポリアルキルコハク酸アシル化剤又はポリアルケニルコハク酸アシル化剤との反応を含む、請求項８に記載の反応生成物を生成する方法。
【請求項１５】
メチレン架橋ナフチルオキシエタノール化合物が、(i) 塩基触媒の存在下でヒドロキシルナフタレン化合物をエチレンカーボネートと反応させて、ナフチルオキシエタノールを生成する工程；(ii)前記塩基を過剰の酸で中和して、中間体を提供する工程；及び、(iii)残留する酸の存在下で、前記中間体をホルムアルデヒドと反応させる工程；を含む方法の生成物である、請求項１４に記載の方法。
【請求項１６】
酸が、油溶性液体酸触媒又は固形酸触媒である、請求項１４に記載の方法。
【請求項１７】
アシル化剤が、約300〜約5000の数平均分子量を有するポリブテニルコハク酸アシル化剤である、請求項１４に記載の方法。
【請求項１８】
メチレン架橋ナフチルオキシエタノール化合物とヒドロカルビルイソシアネートとを酸触媒の存在下で反応させることを含む、請求項９に記載の反応生成物を生成する方法。
【請求項１９】
メチレン架橋ナフチルオキシエタノール化合物が、(i) 塩基触媒の存在下でヒドロキシルナフタレン化合物をエチレンカーボネートと反応させて、ナフチルオキシエタノールを生成する工程；(ii)前記塩基を過剰の酸で中和して、中間体を提供する工程；及び、(iii) 残留する酸の存在下で、前記中間体をホルムアルデヒドと反応させる工程；を含む方法の生成物である、請求項９に記載の反応生成物を生成するための請求項９に記載の方法。
【請求項２０】
酸が、油溶性液体酸触媒又は固形酸触媒である、請求項１８に記載の方法。
【請求項２１】
以下の式(II)の化合物：
【化２】
2006225663.tif 000002
（式中、
各Arは、独立して、アルキル、アルコキシ、アルコキシアルキル、ヒドロキシ、ヒドロキシアルキル、アシルオキシ、アシルオキシアルキル、アリールオキシ、アリールオキシアルキル、ハロ及びそれらの組合せからなる群より選ばれる0〜3の置換基を有する多環の炭素環芳香族部分を表し；
各Lは、独立して、炭素-炭素単結合又は連結基を含む連結部分を表し；
各Yは、独立して、式Z(O(CR2)n)yX-部分を表し、ここで、Xは、(CR'2)z、O及びSからなる群より選ばれ；R及びR'は、それぞれ独立して、H、炭素数1〜6のアルキル及びアリールから選ばれ；zは1〜10であり；nは、Xが(CR'2)Zの場合、0〜10であり、XがO又はSの場合、2〜10であり；yは1〜30であり；ZはH、アシル基、アルキル基又はアリール基であり；
各aは、独立して0〜3を表すが、ただし、少なくとも１つのAr部分は、ZはHではない基Yを少なくとも１つ有し；
mは1〜100である）。
【請求項２２】
各Yが、Z(O(CR2)2)yO-部分であり、Zがアシル基であり、yが1〜6である、請求項２１に記載の化合物。
【請求項２３】
Arがナフタレンであり、YがZOCH2CH2O-であり、Zがアシル基であり、LがCH2である、請求項２２に記載の化合物。
【請求項２４】
Arが2-(2-ナフチルオキシ)-エタノールから誘導され、mが2〜25である、請求項２３に記載の化合物。
【請求項２５】
Zが、約100〜約5000の数平均分子量を有するポリアルキルポリアルケニルコハク酸アシル化剤又はポリアルケニルコハク酸アシル化剤から誘導される、請求項２１に記載の化合物。
【請求項２６】
Zが、約100〜約5000の数平均分子量を有するポリアルキルポリアルケニルコハク酸アシル化剤又はポリアルケニルコハク酸アシル化剤から誘導される、請求項２３に記載の化合物。
【請求項２７】
Zが、ヒドロカルビルイソシアネートから誘導される、請求項２１に記載の化合物。
【請求項２８】
Zが、ヒドロカルビルイソシアネートから誘導される、請求項２３に記載の化合物。
【請求項２９】
多量の潤滑粘度の油と少量の請求項２１に記載の化合物とを含む、潤滑油組成物。
【請求項３０】
窒素含有分散剤をさらに含む、請求項２９に記載の潤滑油組成物。
【請求項３１】
潤滑油組成物に窒素約0.03質量％〜約0.15質量％を提供する量の窒素含有分散剤と、請求項２１記載の化合物約0.005質量％〜約15質量％とを含む、請求項３０に記載の潤滑油組成物。
【請求項３２】
窒素含有分散剤が、約900〜約2500の数平均分子量を有するポリブテンから誘導されたポリブテニルポリアルキレンアミンスクシンイミドである、請求項３０に記載の潤滑油組成物。
【請求項３３】
ポリブテニルポリアルキレンアミンスクシンイミドが、少なくとも一つの(i)ビス-エポキシド化合物；及び(ii)エチレンカーボネートで後処理する、請求項３２に記載の潤滑油組成物。
【請求項３４】
清浄剤、耐摩耗剤、抗酸化剤、摩擦調整剤、相溶化剤及び粘度調整剤からなる群から選ばれる少なくとも一つの追加の添加剤をさらに含む、請求項３０に記載の潤滑油組成物。
【請求項３５】
アミン性抗酸化剤約0.1質量％〜約1.2質量％及びフェノール性抗酸化剤約0.1質量％〜約3質量％を含む、請求項３４に記載の潤滑油組成物。
【請求項３６】
さらに、モリブデン約10ppm〜約1000ppmを潤滑油組成物に導入する量のモリブデン化合物を含む、請求項３５に記載の潤滑油組成物。
【請求項３７】
主に二級アルコールから誘導されたジヒドロカルビルジチオリン酸金属塩を含む、請求項３４に記載の潤滑油組成物。
【請求項３８】
約1200ppm以下のリンを含む、請求項３４に記載の潤滑油組成物。
【請求項３９】
約1000ppm以下のリンを含む、請求項３８に記載の潤滑油組成物。
【請求項４０】
約800ppm以下のリンを含む、請求項３９に記載の潤滑油組成物。
【請求項４１】
硫酸灰分含量が約1質量％以下である、請求項３４に記載の潤滑油組成物。
【請求項４２】
さらに、(i)水素化ポリ(モノビニル芳香族炭化水素)及びポリ(共役ジエン)のコポリマー、ここで水素化ポリ(モノビニル芳香族炭化水素)セグメントは前記コポリマーの少なくとも約20質量％を含み；(ii)アルキルアミン、アリールアミン若しくはアミド基、窒素含有複素環基又はエステル結合を含むオレフィンコポリマー；及び/又は、(iii)分散基を有する、アクリレート又はアルキルアクリレートコポリマー誘導体；を含む１以上の高分子量ポリマーを少量含む、請求項３０に記載の潤滑油組成物。
【請求項４３】
多量の潤滑粘度の油が、グループII、グループIII、グループIV若しくはグループVのベースストック、又はそれらの混合物である、請求項２９に記載の潤滑油組成物。
【請求項４４】
多量の潤滑粘度の油が、ガスツーリキッドプロセスから得られるベースストックである、請求項２９に記載の潤滑油組成物。
【請求項４５】
エンジンのクランク室を請求項２９に記載の潤滑油組成物で潤滑にすること、及びエンジンを操作することを含む、圧縮点火エンジンの操作方法。
【請求項４６】
圧縮点火エンジンが排気ガス再循環系を備えている、請求項４５に記載の方法。
【請求項４７】
エンジンがヘビーデューティーディーゼルエンジンであり、エンジン作動時間の少なくとも10％の時間のあいだ、排気ガス再循環系が吸気及び/又は排気ガス再循環流を露点より低温まで冷却する、請求項４６に記載の方法。
【請求項４８】
(i) 約0.15質量％〜約20質量％の請求項２１に記載の化合物；
(ii) 約10質量％〜約40質量％の高分子量窒素含有分散剤；
(iii) 約2質量％〜約20質量％のアミン性抗酸化剤、フェノール性抗酸化剤、モリブデン化合物、又はそれらの混合物、
(iv) 約5質量％〜約40質量％の清浄剤；及び
(v) 約2質量％〜約20質量％のジヒドロカルビルジチオリン酸金属塩；
を含む潤滑油コンセントレート。